(57)【特許請求の範囲】
【請求項１】
前面に開口部を有し、内部に貯蔵空間が形成された本体と、
内側に内板を有し、前記開口部を開閉する扉と、
前記内板に設けられ、食品が収納される扉ポケットと、
前記扉ポケットに取り付けられる仕切り部材と、を備え、
前記扉ポケットは、
底面に設けられた複数の第一穴部を有し、
前記仕切り部材は、
前記扉ポケット内を仕切る仕切り部と、
一面が前記扉ポケットの底面と接触する座面部と、
前記座面部の前記一面側に設けられた軸部と、
前記軸部に設けられ、前記第一穴部に挿入可能な引掛部と、を有し、
前記仕切り部材は、
前記引掛部が複数の前記第一穴部のうちいずれか一つに挿入されてから回転することで、前記扉ポケットに取り付けられるものであり、
前記仕切り部材は、
前記座面部の前記一面側に凸部を有し、
前記凸部は、
前記扉ポケットに前記仕切り部材が取り付けられた状態で、前記第一穴部に挿入されるものであり、
前記第一穴部は角丸の長方形状である
冷蔵庫。
【請求項２】
前記引掛部は長方形状を有し、
前記引掛部の上下面には、前記引掛部の短手方向の中心から長手側の両端部に向かって前記引掛部が薄くなる傾斜がそれぞれ形成されており、かつ、前記引掛部の長手方向の中心から短手側の両端部に向かって前記引掛部が薄くなる傾斜がそれぞれ形成されており、  前記扉ポケットの前記第一穴部の外周縁の上下面には、前記第一穴部の中心方向に向かって前記外周縁が薄くなる傾斜が形成されている
請求項１に記載の冷蔵庫。
【請求項３】
前記引掛部および前記座面部は長方形状を有し、
前記引掛部は、その長手方向が前記座面部の長手方向に対して傾いた位置に設けられている
請求項１または２に記載の冷蔵庫。
【請求項４】
前記扉ポケットの底面の上面および下面は、少なくとも前記仕切り部材が取り付けられる範囲で平面形状を有している
請求項１〜３のいずれか一項に記載の冷蔵庫。
【請求項５】
前記仕切り部には、第二穴部が設けられている
請求項１〜４のいずれか一項に記載の冷蔵庫。
【発明の詳細な説明】
【技術分野】
【０００１】
本発明は、扉の庫面側に扉ポケットが設けられた冷蔵庫に関するものである。
【背景技術】
【０００２】
従来の冷蔵庫において、扉の庫面側に収納ケースである扉ポケットが設けられており、その扉ポケットに仕切り部材が取り付けられているものがある（例えば、特許文献１参照）。【０００３】
特許文献１に記載の仕切り部材は、仕切りの役割を果たす板状の仕切り部本体と、仕切部本体が立設するように設けられた台座部とから構成され、台座部の底面には複数の突出部が設けられている。そして、台座部の突出部が扉ポケットの底面部に設けられた複数の取付穴に着脱可能に嵌合することで、扉ポケットに仕切り部材を取り付けることができるようになっている。このとき、仕切り部材は、扉ポケットに対して取り付け位置および角度が可変に取り付けられるようになっている。
【先行技術文献】
【特許文献】
【０００４】
【特許文献１】特許第５４６４０４２号公報
【発明の概要】
【発明が解決しようとする課題】
【０００５】
特許文献１に記載の冷蔵庫では、仕切り部材の台座部に設けられた突出部を扉ポケットの底面部に設けられた取付穴に嵌合させる際に、扉ポケットの底面部に対して上方から仕切り部材を載せることで嵌合させる。【０００６】
しかしながら、このような構成では、扉ポケットに収納された瓶などの容器に食汁が垂れて仕切り部材と固着してしまった場合、瓶などの容器を扉ポケットから取り出す際に仕切り部材が外れてしまう恐れがあった。【０００７】
また、仕切り部材が扉ポケットから簡単に外れないようにするため、扉ポケットの取付穴と仕切り部材の突出部との間の隙間を詰めることも考えられるが、そうすると仕切り部材を扉ポケットから取り外しづらくなり、使い勝手が悪くなる恐れがあった。【０００８】
さらに、仕切り部材は、扉ポケットに対して取り付け位置および角度が可変に取り付けられるようになっているが、所定の決められた位置および角度でしか取り付けることができず、自由度が低いという課題があった。【０００９】
本発明は、以上のような課題を解決するためになされたもので、扉ポケットの収納性および使い勝手を向上させることが可能な冷蔵庫を提供することを目的としている。
【課題を解決するための手段】
【００１０】
本発明に係る冷蔵庫は、前面に開口部を有し、内部に貯蔵空間が形成された本体と、内側に内板を有し、前記開口部を開閉する扉と、前記内板に設けられ、食品が収納される扉ポケットと、前記扉ポケットに取り付けられる仕切り部材と、を備え、前記扉ポケットは、底面に設けられた複数の第一穴部を有し、前記仕切り部材は、前記扉ポケット内を仕切る仕切り部と、一面が前記扉ポケットの底面と接触する座面部と、前記座面部の前記一面側に設けられた軸部と、前記軸部に設けられ、前記第一穴部に挿入可能な引掛部と、を有し、前記仕切り部材は、前記引掛部が複数の前記第一穴部のうちいずれか一つに挿入されてから回転することで、前記扉ポケットに取り付けられるものであり、前記仕切り部材は、前記座面部の前記一面側に凸部を有し、前記凸部は、前記扉ポケットに前記仕切り部材が取り付けられた状態で、前記第一穴部に挿入されるものであり、前記第一穴部は角丸の長方形状であるものである。
【発明の効果】
【００１１】
本発明に係る冷蔵庫によれば、仕切り部材は、引掛部が複数の第一穴部のうちいずれか一つに挿入されてから回転することで、扉ポケットに取り付けられるものであるため、扉ポケットに収納する食品の大きさおよび形状によって、仕切り部材を自由に配置することができる。そのため、扉ポケットに食品を効率的に収納することができ、ユーザにとって使い勝手を向上させることができる。
【図面の簡単な説明】
【００１２】
【図１】本発明の実施の形態１に係る冷蔵庫の正面図である。
【図２】本発明の実施の形態１に係る冷蔵庫の側断面図である。
【図３】本発明の実施の形態１に係る冷蔵庫の冷蔵室扉の庫内側の要部拡大図である。
【図４】本発明の実施の形態１に係る冷蔵庫の扉ポケットを下側から見た図である。
【図５】本発明の実施の形態１に係る冷蔵庫の仕切り部材を下側から見た図である。
【図６】本発明の実施の形態１に係る冷蔵庫の扉ポケットに食品が収納された状態の一例を示す図である。
【図７】本発明の実施の形態２に係る冷蔵庫の仕切り部材を下側から見た図である。
【図８】本発明の実施の形態３に係る冷蔵庫の扉ポケットに取り付けられた仕切り部材の引掛部の短手側周辺を拡大した模式図である。
【図９】本発明の実施の形態３に係る冷蔵庫の扉ポケットに取り付けられた仕切り部材の引掛部の長手側周辺を拡大した模式図である。
【図１０】本発明の実施の形態４に係る冷蔵庫の仕切り部材を下側から見た図である。
【図１１】本発明の実施の形態５に係る冷蔵庫の仕切り部材と扉ポケットとの関係を示す斜視図である。
【発明を実施するための形態】
【００１３】
以下、本発明の実施の形態を図面に基づいて説明する。なお、以下に説明する実施の形態によって本発明が限定されるものではない。また、以下の図面では各構成部材の大きさの関係が実際のものとは異なる場合がある。また、以下の説明において、理解を容易にするために方向を表す用語（例えば「上」、「下」、「左」、「右」、「前」、「後」など）を適宜用いるが、これは説明のためのものであって、これらの用語は本願発明を限定するものではない。なお、この明細書では冷蔵庫を正面から見たときに、上記の方向を表す用語を用いるものとする。
【００１４】
実施の形態１．
図１は、本発明の実施の形態１に係る冷蔵庫１００の正面図であり、図２は、本発明の実施の形態１に係る冷蔵庫１００の側断面図である。
以下、図１および図２を用いて冷蔵庫１００の一例の全体構成を説明する。
冷蔵庫１００は、前面に開口部を有し、内部に貯蔵空間が形成された箱状の本体１を備えている。本体１は、鋼板製の外箱１ａと樹脂製の内箱１ｂとの間に断熱材１ｃを充填して形成された断熱箱体であり、内部の貯蔵空間は複数の仕切り体によって複数の貯蔵室に仕切られている。
【００１５】
冷蔵庫１００は、複数の貯蔵室として、最上段に配置された冷蔵室３と、冷蔵室３の下方に配置された製氷室４と、製氷室４の右側方に隣接して配置された切替室５と、製氷室４および切替室５の下方に配置された冷凍室６と、冷凍室６の下方の最下段に配置された野菜室７と、を有している。
【００１６】
なお、各貯蔵室の配置は上記に限定されるものではなく、例えば、最下段に冷凍室６を配置し、野菜室７は冷凍室６の上方に配置するなど、ユーザにとって使いやすい高さに野菜室７を配置する形態でもよい。
【００１７】
冷蔵室３の前面に形成された開口部には、当該開口部を自在に開閉することができる観音式の冷蔵室扉２ａが設けられており、この冷蔵室扉２ａは、冷蔵室扉左２ａ−１と冷蔵室扉右２ａ−２との二つにより構成されている。なお、冷蔵室扉２ａは、二つの扉で構成された観音式に限定されず、１つの扉で構成された回転式でもよい。
【００１８】
なお、冷蔵室扉２ａは、本発明の「扉」に相当する。
【００１９】
また、冷蔵室扉２ａには複数の扉ポケット２００が設けられており、冷蔵室扉左２ａ−１には、上から順に、左扉ポケット上（図示せず）、左扉ポケット中（図示せず）、左扉ポケット（図示せず）が設けられている。また、冷蔵室扉右２ａ−２には、上から順に、右扉ポケット上２００ａ、右扉ポケット中２００ｂ、右扉ポケット下２００ｃ、が設けられている。なお、上記の複数の扉ポケット２００は、それぞれ同じ構成である。
【００２０】
製氷室４の前面に形成された開口部には、当該開口部を自在に開閉することができる引出式の製氷室扉２ｂが、切替室５の前面に形成された開口部には、当該開口部を自在に開閉することができる引出式の切替室扉２ｃが、それぞれ設けられている。また、冷凍室６の前面に形成された開口部には、当該開口部を自在に開閉することができる引出式の冷凍室扉２ｄが、野菜室７の前面に形成された開口部には、当該開口部を自在に開閉することができる引出式の野菜室扉２ｅが、それぞれ設けられている。
【００２１】
製氷室扉２ｂ、切替室扉２ｃ、冷凍室扉２ｄ、および、野菜室扉２ｅの庫内側には、それぞれ樹脂成形などによる収納ケースが引き出し自在に設けられている。具体的には、製氷室扉２ｂの庫面側には貯氷ケース（図示せず）が、切替室扉２ｃの庫面側には切替室ケース５０ｂが、冷凍室扉２ｄの庫面側には冷凍室ケース５０ｃ、５０ｄが、野菜室扉２ｅの庫内側には野菜室ケース５０ｅ、５０ｆが、それぞれ設けられている。また、冷蔵室３内の下部には、収納ケースであるチルド室ケース３ａ、３ｂが設けられている。
【００２２】
冷蔵室扉左２ａ−１には、貯蔵室内の温度設定などの各種操作が行われる操作スイッチと、貯蔵室内の温度情報などの各種表示を行う液晶表示部と、を有する操作表示パネル６０が設けられている。なお、操作表示パネル６０は、冷蔵室扉右２ａ−２に設けられていてもよく、冷蔵室３内の壁面に設けられていてもよい。
【００２３】
また、本体１の背面側の上部には、制御装置３０が設けられている。制御装置３０は、例えば、専用のハードウェア、または記憶部に格納されるプログラムを実行するＣＰＵ（Central Processing Unit、中央処理装置、処理装置、演算装置、マイクロプロセッサ、マイクロコンピュータ、プロセッサともいう）で構成されている。制御装置３０は、操作表示パネル６０の操作スイッチから入力された情報に応じて冷蔵庫１００の動作を制御し、また、各種情報を操作表示パネル６０の液晶表示部に出力する。
【００２４】
冷蔵庫１００は、各貯蔵室を冷却するための冷凍サイクル装置を備えており、冷凍サイクル装置は、圧縮機１２と、凝縮器（図示せず）と、減圧装置（図示せず）と、冷却器１３と、冷気循環用ファン１４と、で構成されている。冷却器１３および冷気循環用ファン１４は、本体１の背面側に設けられている。また、圧縮機１２は、本体１の背面側の下部に形成された機械室１ｄに設けられている。
【００２５】
以下、本実施の形態１に係る冷蔵庫１００の冷却運転について説明する。
圧縮機１２で圧縮された冷媒は、凝縮器において凝縮され、凝縮された状態の冷媒は減圧装置である毛細管または膨張弁において減圧される。減圧された冷媒は、冷却器１３において蒸発され、この蒸発時の冷媒の吸熱作用により、冷却器１３周辺の空気は冷却され、冷気となる。その冷気は、冷気循環用ファン１４によって、冷蔵室３、製氷室４、切替室５、冷凍室６、および、野菜室７へと送風され、各貯蔵室を冷却する。
【００２６】
また、冷却器１３で冷却された冷気が切替室５内に送風される際に通過する切替室冷却用風路(図示せず)には、風量調整手段である切替室ダンパ(図示せず)が設けられている。そして、風路ダンパの開度によって、冷気循環用ファン１４により切替室５に送風される冷気の冷気量が調整され、切替室５の温度が所定温度に制御される。なお、切替室５は、その内部の温度を約−１８℃から約−７℃までの間で複数の段階から選択可能な部屋である。
【００２７】
また、操作表示パネル６０は、冷蔵室３、冷凍室６、切替室５などの貯蔵室を選択する貯蔵室選択スイッチ（図示せず）と、切替室５などの貯蔵室の温度帯（冷凍、ソフトフリージングなど）を切り替えたり、急冷、強、中、弱などを切り替えたりする温度帯切替スイッチ（図示せず）と、過冷却冷凍（瞬冷凍ともいう）選択スイッチ（図示せず）と、製氷に関して、透明氷、通常、急速、停止などを選択する製氷モード選択スイッチ（図示せず）と、を備えている。つまり、貯蔵室の選択およびその選択された貯蔵室内の温度設定は、操作表示パネル６０の操作により行われる。
【００２８】
切替室５の背面側の壁面には、切替室５内の空気温度を検知するための温度検知手段である切替室サーミスタ１９が設けられている。そして、制御装置３０は、切替室サーミスタ１９の検知温度によって切替室ダンパを開閉することで、切替室５の温度を選択された温度帯または設定された温度範囲内に制御する。
【００２９】
図３は、本発明の実施の形態１に係る冷蔵庫１００の冷蔵室扉２ａの庫内側の要部拡大図である。
図３に示すように、冷蔵室扉２ａの庫内側には、収納ケースである扉ポケット２００が設けられている。扉ポケット２００の底面部２４０には、複数の仕切り部材４００を取り付けるための穴部２５０が複数設けられており、穴部２５０は、角丸の長方形状を有している。
【００３０】
なお、穴部２５０は、本発明の「第一穴部」に相当する。
【００３１】
扉ポケット２００の長手方向である幅方向の両側壁面２３５、つまり左右の側壁面２３５の外側には第一固定部２３６がそれぞれ設けられている。この第一固定部２３６は、水平方向に二つ設けられている。また、扉ポケット２００の両側壁面２３５の上部であり第一固定部２３６の上部には、外側に突出したフランジ部２３７がそれぞれ設けられている。なお、図３では第一固定部２３６およびフランジ部２３７を一方の側壁面２３５にしか図示していないが、もう一方の側壁面（図３の紙面奥側）にも、第一固定部２３６およびフランジ部２３７が設けられている。
【００３２】
また、冷蔵室扉２ａの庫内側には土手部７１が左右にそれぞれ設けられており、土手部７１の内側には、第二固定部７２が設けられている。なお、図３では第二固定部７２を一方の土手部７１にしか図示していないが、もう一方の土手部７１（図３の紙面手前側）にも、第二固定部７２が設けられている。
【００３３】
そして、扉ポケット２００の左側の側壁面２３５に設けられた二つの第一固定部２３６の間に、冷蔵室扉２ａの左側の土手部７１の内側に設けられた第二固定部７２を挿入する。また、扉ポケット２００の右側の側壁面２３５に設けられた二つの第一固定部２３６の間に、冷蔵室扉２ａの右側の土手部７１の内側に設けられた第二固定部７２を挿入する。
【００３４】
このようにすることで、冷蔵室扉２ａの左右の土手部７１に設けられた第二固定部７２が、扉ポケット２００の左右の側壁面２３５の上部に設けられたフランジ部２３７に引っ掛かり、扉ポケット２００が冷蔵室扉２ａに取り付けられる。
【００３５】
また、第二固定部７２は、土手部７１の内側の上下方向に複数設けられている。そのため、冷蔵庫１００は、扉ポケット２００のフランジ部２３７に引っ掛ける第二固定部７２の位置に応じて、扉ポケット２００の取り付け位置を上下方向に変えることができるようになっている。
【００３６】
扉ポケット２００の底面部２４０には、仕切りの役割を果たす仕切り部材４００が取り付けられている。この仕切り部材４００は、扉ポケット２００内を仕切る板状の仕切り部４１０と、扉ポケット２００の底面部２４０と接触する板状の座面部４２０と、穴部２５０に挿入可能な引掛部４３０と、座面部４２０と引掛部４３０とを接続する軸部４４０とから構成されている。
【００３７】
仕切り部４１０は長方形状を有しており、座面部４２０は、４つの角が面取りされた長方形状を有している。また、仕切り部材４００は、扉ポケット２００の底面部２４０の食品が収納される側、つまり上面側から取り付けられる。なお、座面部４２０は４つの角が面取りされた長方形状としたが、厳密に４つの角が面取りされた長方形状でなくてもよく、例えば角丸の長方形状などでもよい。
【００３８】
図４は、本発明の実施の形態１に係る冷蔵庫１００の扉ポケット２００を下側から見た図であり、図５は、本発明の実施の形態１に係る冷蔵庫１００の仕切り部材４００を下側から見た図である。
図３〜図５に示すように、座面部４２０の仕切り部４１０が設けられている面とは反対の面側、つまり下面側に円筒形の軸部４４０が設けられており、軸部４４０の先端には、長方形状の引掛部４３０が設けられている。なお、引掛部４３０は長方形状としたが、厳密に長方形状でなくてもよく、例えば角丸の長方形状などでもよい。
【００３９】
軸部４４０は、扉ポケット２００の穴部２５０の短手方向の幅Ｌ２より小さい径を有している。また、引掛部４３０は、長手方向の幅Ｌ４が、扉ポケット２００の穴部２５０の長手方向の幅Ｌ１より小さく、かつ、穴部２５０の短手方向の幅Ｌ２より大きくなるように構成されており、短手方向の幅Ｌ３が、穴部２５０の短手方向の幅Ｌ２より小さくなるように構成されている。
【００４０】
すなわち、寸法関係がＬ１＞Ｌ４＞Ｌ２＞Ｌ３となるように、仕切り部材４００の引掛部４３０と軸部４４０、および、扉ポケット２００の穴部２５０が構成されている。そして、仕切り部材４００の引掛部４３０を扉ポケット２００の底面部２４０の上面側から穴部２５０に挿入してから仕切り部材４００を回転させることで、仕切り部材４００の座面部４２０と引掛部４３０との間に扉ポケット２００の底面部２４０が挟み込まれる。
【００４１】
また、仕切り部材４００の引掛部４３０が扉ポケット２００の底面部２４０に引っ掛かる。このように、仕切り部材４００の引掛部４３０が扉ポケット２００の穴部２５０に挿入されてから仕切り部材４００が回転することで、扉ポケット２００に仕切り部材４００が取り付けられる。
【００４２】
このとき、扉ポケット２００の底面部２４０の上面は、少なくとも仕切り部材４００が取り付けられる範囲で平面形状を有しており、また、仕切り部材４００の座面部４２０の下面も平面形状を有している。そのため、扉ポケット２００に仕切り部材４００を取り付けた際に、それらの間に隙間が生じにくくなっている。
【００４３】
また、仕切り部材４００を回転させて引掛部４３０を扉ポケット２００の穴部２５０から引き抜くことで、扉ポケット２００から仕切り部材４００が取り外される。このように、仕切り部材４００は扉ポケット２００に対して着脱可能となっている。
【００４４】
また、図４に示すように、扉ポケット２００の穴部２５０は、底面部２４０に複数設けられており、穴部２５０が設けられている範囲内であれば、仕切り部材４００の取り付け位置を自由に変えることができるようになっている。そのため、扉ポケット２００に収納する食品に応じて仕切り部材４００の位置を変えることができ、ユーザの自由度および扉ポケット２００の収納性が向上して冷蔵庫１００の使い勝手をよくすることができる。
【００４５】
通常、扉ポケット２００は透明ＰＳ、透明ＡＳ、透明ＡＢＳ、もしくは透明ＭＢＳなどの樹脂を用いて、射出成形により成形される。そして、扉ポケット２００を射出成形する際に、扉ポケット２００の底面部２４０で、穴部２５０よりも手前側、つまり内板７０とは逆側に１点でゲートを配置する。そうすることで、ゲートから出た樹脂が穴部２５０で分岐した後に、樹脂が再合流した箇所で発生するウェルドラインと呼ばれる線が、使用者の目につきにくい内板７０側に発生する。そのため、外観に優れた扉ポケット２００を形成することができる。
【００４６】
なお、多点ゲートは、ゲートから出た樹脂が合流する箇所が増え、ウェルドラインの発生箇所をコントロールできないため、通常は用いられない。また、図４では扉ポケット２００の長手方向である幅方向(図４の左右方向)に対して穴部２５０の長手方向が平行となるように穴部２５０がそれぞれ配置されているが、扉ポケット２００の幅方向に対して穴部２５０の長手方向が垂直となるように穴部２５０がそれぞれ配置されていてもよい。
【００４７】
ここで、図５に示す仕切り部材４００の座面部４２０の長手方向の幅Ｌ５について説明する。扉ポケット２００に仕切り部材４００を取り付ける際に、仕切り部材４００を回転させるが、仕切り部材４００の回転半径はＬ５の半分（Ｌ５／２）となる。そのため、底面部２４０の長手方向の幅Ｌ５は、図４に示す扉ポケット２００の穴部２５０の短手方向の中心から扉ポケット２００の前壁面２２０までの距離Ｌ７よりも小さい必要がある。
【００４８】
図６は、本発明の実施の形態１に係る冷蔵庫１００の扉ポケット２００に食品が収納された状態の一例を示す図である。
そこで、図６に示す扉ポケット２００に収納される収納物５００、５０１のうち最小の収納物５０１の奥行Ｌ６よりも仕切り部材４００の回転半径Ｌ５／２を大きくし、仕切り部材４００の回転半径Ｌ５／２よりも距離Ｌ７を大きく設定する。たとえば、最小の収納物５０１を２５０ｍｌ缶と想定すると、Ｌ６は約５３ｍｍとなるため、Ｌ７は６０ｍｍ、Ｌ５は１１０ｍｍを設定すればよい。
【００４９】
以上、本実施の形態１に係る冷蔵庫１００は、前面に開口部を有し、内部に貯蔵空間が形成された本体１と、内側に内板７０を有し、開口部を開閉する扉と、内板７０に設けられ、食品が収納される扉ポケット２００と、扉ポケット２００に取り付けられる仕切り部材４００と、を備え、扉ポケット２００は、底面に設けられた複数の穴部２５０を有し、仕切り部材４００は、扉ポケット２００内を仕切る仕切り部４１０と、一面が扉ポケット２００の底面と接触する座面部４２０と、座面部４２０の一面側に設けられた軸部４４０と、軸部４４０に設けられ、穴部２５０に挿入可能な引掛部４３０と、を有し、仕切り部材４００は、引掛部４３０が複数の穴部２５０のうちいずれか一つに挿入されてから回転することで、扉ポケット２００に取り付けられるものである。
【００５０】
本実施の形態１に係る冷蔵庫１００によれば、仕切り部材４００は、引掛部４３０が複数の穴部２５０のうちいずれか一つに挿入されてから回転することで、扉ポケット２００に取り付けられるものであるため、扉ポケット２００に収納する食品の大きさおよび形状によって、仕切り部材４００を自由に配置することができる。そのため、扉ポケット２００に食品を効率的に収納することができ、ユーザにとって使い勝手を向上させることができる。
【００５１】
特に、穴部２５０が設けられている範囲内であれば、仕切り部材４００の取り付け位置を自由に変えることができる。そのため、収納する食品に応じて、仕切り部材４００の位置を変えることができ、ユーザの自由度および扉ポケット２００の収納性が向上して冷蔵庫１００の使い勝手をよくすることができる。
【００５２】
また、仕切り部材４００は、扉ポケット２００に取り付けられる際に回転しており、仕切り部材４００の座面部４２０と引掛部４３０との間に扉ポケット２００の底面部２４０が挟み込まれている。そのため、ユーザが食品を扉ポケット２００から取り出す際および冷蔵室扉２ａを開閉する際などに、仕切り部材４００が動いたり外れたりしてしまうのを抑制することができる。
【００５３】
実施の形態２．
以下、本発明の実施の形態２について説明するが、実施の形態１と重複するものについては（一部の）説明を省略し、実施の形態１と同じ部分または相当する部分には同じ符号を付す。
【００５４】
図７は、本発明の実施の形態２に係る冷蔵庫１００の仕切り部材４００を下側から見た図である。
図７に示すように、本実施の形態２に係る仕切り部材４００の座面部４２０の下面側には、引掛部４３０の長手方向に対して９０°回転させた位置、つまり引掛部４３０の短手方向に凸部４２０ａが二つ設けられている。これら凸部４２０ａは、引掛部４３０を中心として対称となる位置にそれぞれ設けられている。
【００５５】
そして、引掛部４３０が複数の穴部２５０のうちいずれか一つに挿入されてから仕切り部材４００が回転することで、凸部４２０ａも穴部２５０に挿入されるようになっている。つまり、凸部４２０ａは、扉ポケット２００に仕切り部材４００が取り付けられた状態で、穴部２５０に挿入された状態になっている。
【００５６】
以上、本実施の形態２に係る冷蔵庫１００の仕切り部材４００は、座面部４２０の一面側に凸部４２０ａを有し、凸部４２０ａは、扉ポケット２００に仕切り部材４００が取り付けられた状態で、穴部２５０に挿入されるものである。
【００５７】
以上より、本実施の形態２によれば、凸部４２０ａは、扉ポケット２００に仕切り部材４００が取り付けられた状態で、穴部２５０に挿入された状態になっている。そのため、ユーザが食品を扉ポケット２００から取り出す際および扉を開閉する際などに、動いたり外れたりしてしまうのを抑制することができる。
【００５８】
なお、本実施の形態２では、凸部４２０ａは、引掛部４３０の長手方向に対して９０°回転させた位置に設けられているが、それに限定されず、例えば引掛部４３０の長手方向に対して４５°回転させた位置に凸部４２０ａを設けてもよい。また、凸部４２０ａを二つより多く設けてもよい。
【００５９】
実施の形態３．
以下、本発明の実施の形態３について説明するが、実施の形態１および２と重複するものについては（一部の）説明を省略し、実施の形態１および２と同じ部分または相当する部分には同じ符号を付す。
【００６０】
図８は、本発明の実施の形態３に係る冷蔵庫１００の扉ポケット２００に取り付けられた仕切り部材４００の引掛部４３０の短手側周辺を拡大した模式図であり、図９は、本発明の実施の形態３に係る冷蔵庫１００の扉ポケット２００に取り付けられた仕切り部材４００の引掛部４３０の長手側周辺を拡大した模式図である。
【００６１】
図８に示すように、本実施の形態３に係る仕切り部材４００の引掛部４３０の上下面には、引掛部４３０の短手方向の中心から長手側の両端部に向かって引掛部４３０が薄くなる傾斜４３０ａがそれぞれ形成されている。つまり、引掛部４３０は、その短手方向の中心から長手側の両端部に向かって薄くなるように形成されている。
【００６２】
また、図９に示すように、仕切り部材４００の引掛部４３０の上下面には、引掛部４３０の長手方向の中心から短手側の両端部に向かって引掛部４３０が薄くなる傾斜４３０ｂがそれぞれ形成されている。つまり、引掛部４３０は、その長手方向の中心から短手側の両端部に向かうように形成されている。
【００６３】
また、扉ポケット２００の穴部２５０の外周縁２５０ａには、外側に向かって面取り形状が形成されている。具体的には、穴部２５０の外周縁２５０ａの上下面には、穴部２５０の中心方向に向かって外周縁２５０ａが薄くなる傾斜が形成されている。つまり、穴部２５０の外周縁２５０ａは、穴部２５０の中心方向に向かって薄くなるように形成されている。
【００６４】
以上、本実施の形態３に係る冷蔵庫１００の引掛部４３０は、長方形状を有し、引掛部４３０の上下面には、引掛部４３０の短手方向の中心から長手側の両端部に向かって引掛部４３０が薄くなる傾斜がそれぞれ形成されており、かつ、引掛部４３０の長手方向の中心から短手側の両端部に向かって引掛部４３０が薄くなる傾斜がそれぞれ形成されており、扉ポケット２００の穴部２５０の外周縁２５０ａの上下面には、穴部２５０の中心方向に向かって外周縁２５０ａが薄くなる傾斜が形成されている。
【００６５】
以上より、本実施の形態３によれば、引掛部４３０は、その短手方向の中心から長手側の両端部に向かって薄くなるように形成されており、かつ、その長手方向の中心から短手側の両端部に向かうように形成されている。また、穴部２５０の外周縁２５０ａは、穴部２５０の中心方向に向かって薄くなるように形成されている。
【００６６】
そのため、扉ポケット２００に仕切り部材４００を取り付ける際に、仕切り部材４００を回転させた直後では引掛部４３０と穴部２５０の外周縁２５０ａとのクリアランスが大きく、仕切り部材４００を回転させるにつれてそのクリアランスが小さくなる。その結果、仕切り部材４００を回転させやすく、扉ポケット２００に仕切り部材４００をスムーズに取り付けることができる。
【００６７】
実施の形態４．
以下、本発明の実施の形態４について説明するが、実施の形態１〜３と重複するものについては（一部の）説明を省略し、実施の形態１〜３と同じ部分または相当する部分には同じ符号を付す。
【００６８】
図１０は、本発明の実施の形態４に係る冷蔵庫１００の仕切り部材４００を下側から見た図である。
図１０に示すように、本実施の形態４に係る仕切り部材４００の引掛部４３０は、その長手方向が座面部４２０の長手方向に対して４５°傾いた位置に設けられている。なお、本実施の形態４では、引掛部４３０が、その長手方向が座面部４２０の長手方向に対して４５°傾いた位置に設けられているが、それ以外の角度傾いた位置に設けられていてもよい。
【００６９】
以上、本実施の形態４に係る冷蔵庫１００の引掛部４３０は、その長手方向が座面部４２０の長手方向に対して傾いた位置に設けられている。そのため、扉ポケット２００に対する仕切り部材４００の取り付け方向が、扉ポケット２００の穴部２５０の長手方向に対して垂直な方向だけでなく、平行な方向などにも取り付けることができる。また、収納する食品に応じて仕切る方向を変えることができ、ユーザの自由度および扉ポケット２００の収納性が向上して冷蔵庫１００の使い勝手をよくすることができる。
【００７０】
実施の形態５．
以下、本発明の実施の形態５について説明するが、実施の形態１〜４と重複するものについては（一部の）説明を省略し、実施の形態１〜４と同じ部分または相当する部分には同じ符号を付す。
【００７１】
図１１は、本発明の実施の形態５に係る冷蔵庫１００の仕切り部材４００と扉ポケット２００との関係を示す斜視図である。なお、図１１に示す扉ポケット２００は右扉ポケット中であるが、他の扉ポケット２００も同じ構成であるため、以下、右扉ポケット中を扉ポケット２００として説明する。
【００７２】
本実施の形態５では、図１１に示すように、扉ポケット２００の底面部２４０の食品が収納される側とは反対側である下面側からも仕切り部材４００が取り付けられるようになっている。つまり、扉ポケット２００の底面部２４０の上面および下面は、少なくとも仕切り部材４００が取り付けられる範囲で平面形状を有しており、また、仕切り部材４００の座面部４２０の下面も平面形状を有している。そのため、扉ポケット２００の底面部２４０の下面側から仕切り部材４００を取り付けた際に、それらの間に隙間が生じにくくなっている。
【００７３】
扉ポケット２００の底面部２４０の下面側からの仕切り部材４００の取り付け方法としては、仕切り部材４００の引掛部４３０を、扉ポケット２００の底面部２４０の下面側から穴部２５０に挿入し、仕切り部材４００を回転させる。そうすることで、仕切り部材４００の座面部４２０と引掛部４３０の間に扉ポケット２００の底面部２４０が挟み込まれ、扉ポケット２００に仕切り部材４００が取り付けられる。
【００７４】
また、仕切り部材４００の取り外し方法としては、仕切り部材４００を回転させ、引掛部４３０を扉ポケット２００の穴部２５０から下方に引き抜く。そうすることで、扉ポケット２００から仕切り部材４００が取り外される。このようにして、扉ポケット２００に仕切り部材４００が着脱可能となっている。
【００７５】
また、仕切り部材４００の仕切り部４１０には、チューブ形の食品などが挿入される円形状の穴部４５０が複数設けられている。なお、穴部４５０に挿入されるものは食品に限られず、例えば容器などでもよい。また、穴部４５０の形状は円形状に限定されず、例えば矩形状などでもよく、挿入されることが想定される食品の形状によって自由に設計することができる。また、穴部４５０の大きさおよび個数についても同様に、挿入されることが想定される食品の大きさおよび数によって自由に設計することができる。
【００７６】
なお、穴部４５０は、本発明の「第二穴部」に相当する。
【００７７】
以上、本実施の形態５の冷蔵庫１００の扉ポケット２００の底面部２４０の上面および下面は、少なくとも仕切り部材４００が取り付けられる範囲で平面形状を有しているため、扉ポケット２００の底面部２４０の下面側からも仕切り部材４００を取り付けることができる。そのため、扉ポケット２００に大きな食品を収納する際に不要となった仕切り部材４００を保管することができ、仕切り部材４００の紛失を抑制することができる。
【００７８】
また、本実施の形態５に係る冷蔵庫１００の仕切り部材４００の仕切り部４１０には、穴部４５０が設けられている。そして、穴部４５０にチューブ形の食品などを挿入することで、仕切り部４１０で挿入された食品などを保持することができるため、扉ポケット２００の収納性が向上して冷蔵庫１００の使い勝手をよくすることができる。さらに、仕切り部材４００の樹脂量を減らすことができるため、コスト低減を図ることができる。
【００７９】
なお、仕切り部４１０に穴部４５０が設けられた仕切り部材４００は、実施の形態１〜４に記載の扉ポケット２００にも取り付けることができる。
【符号の説明】
【００８０】
１  本体、１ａ  外箱、１ｂ  内箱、１ｃ  断熱材、１ｄ  機械室、２ａ  冷蔵室扉、２ａ−１  冷蔵室扉左、２ａ−２  冷蔵室扉右、２ｂ  製氷室扉、２ｃ  切替室扉、２ｄ  冷凍室扉、２ｅ  野菜室扉、３  冷蔵室、３ａ  チルド室ケース、３ｂ  チルド室ケース、４  製氷室、５  切替室、６  冷凍室、７  野菜室、１２  圧縮機、１３  冷却器、１４  冷気循環用ファン、１９  切替室サーミスタ、３０  制御装置、５０ｂ  貯氷ケース、５０ｃ  冷凍室ケース、５０ｄ  冷凍室ケース、５０ｅ  野菜室ケース、５０ｆ  野菜室ケース、６０  操作表示パネル、７０  内板、７１  土手部、７２  第二固定部、１００  冷蔵庫、２００  扉ポケット、２００ａ  右扉ポケット上、２００ｂ  右扉ポケット中、２００ｃ  右扉ポケット下、２２０  前壁面、２３５  側壁面、２３６  第一固定部、２３７  フランジ部、２４０  底面部、２５０  穴部、２５０ａ  外周縁、４００  仕切り部材、４１０  仕切り部、４２０  座面部、４２０ａ  凸部、４３０  引掛部、４３０ａ  傾斜、４３０ｂ  傾斜、４４０  軸部、４５０  穴部、５００  収納物、５０１  収納物。
【図１】
0006678769.tif 000002
【図２】
0006678769.tif 000003
【図３】
0006678769.tif 000004
【図４】
0006678769.tif 000005
【図５】
0006678769.tif 000006
【図６】
0006678769.tif 000007
【図７】
0006678769.tif 000008
【図８】
0006678769.tif 000009
【図９】
0006678769.tif 000010
【図１０】
0006678769.tif 000011
【図１１】
0006678769.tif 000012